(57)【要約】      （修正有）【課題】従来にない新規なウレタン製時計バンド駒を提供することにある。【解決手段】時計バンド用ウレタン駒２０は、左右に位置するウレタン製外パーツ３０，３０と、外パーツの間に位置するウレタン製内パーツ４０と、外パーツ３０の外側側面３１に取り付ける金属製の側面パーツ５０とを備えて略Ｙ字形に連結されるバンド駒である。金属製側面パーツを外パーツの外側側面に取り付けることで、ウレタン駒のパーティングラインが隠せるので、バンド駒の質感を向上させることができる。【選択図】図１
0003148398.tif 000002
【実用新案登録請求の範囲】
【請求項１】
左右に位置するウレタン製外パーツと、外パーツの間に位置するウレタン製内パーツとを貫通する連結孔へパイプ状の連結材を挿通して略Ｙ字形に連結される時計バンド用ウレタン駒であって、
外パーツの外側側面に取り付ける金属製の側面パーツが外パーツとの当接面にピン材を備え、そのピン材を連結孔の連結材へ差し込むことで、側面パーツが外パーツの外側側面に取り付けられることを特徴とする時計バンド用ウレタン駒。
【請求項２】
側面パーツが、外パーツの外側側面に形成された凹部に嵌合する凸部を備えたことを特徴とする請求項１記載の時計バンド用ウレタン駒。
【請求項３】
前後するウレタン駒をピン状の接続材で接続するために外パーツ、側面パーツ及び内パーツにはそれぞれ接続材を挿通するための接続孔を設け、外パーツの接続孔には接続材を保持するためのＣリングを備えるとともに、内パーツの接続孔にはＣリングの脱落防止用にパイプ状の脱落防止材を備えることを特徴とする請求項１又は２記載の時計バンド用ウレタン駒。
【請求項４】
Ｃリングが外パーツの内側側面から接続孔へ挿入可能な構造においては、側面パーツの接続孔の径がＣリングの径以下になる部分を有する段孔構造であることを特徴とする請求項１から３のいずれかに記載の時計バンド用ウレタン駒。
【請求項５】
請求項１から４のいずれかに記載の時計バンド用ウレタン駒を備えたことを特徴とする時計バンド。
【考案の詳細な説明】
【技術分野】
【０００１】
本願考案は、ウレタン製の時計バンド駒に関するものである。
【背景技術】
【０００２】
従来、ウレタン製の時計バンドに関しては、特許文献１に開示されたものがある。この特許文献１に開示された時計バンド技術は、バンドを構成するウレタン駒の連結部を補強強化して弛みや裂断を防止することを目的とするものである。そして、その構成は、図５に示すように、メタル駒１３とウレタン駒１５の交互噛合わせと、該各噛合わせ部に連結用ピン１９を挿着して連結するバンド２０において、ウレタン駒１５の裏面の連結方向に１条乃至数条にて補強用溝１６ａ，１６ｂを設け、該１条乃至数条の補強用溝１６ａ，１６ｂに金属板等にてなる補強骨格１７ａ，１７ｂを組込み、該各補強骨格１７ａ，１７ｂの連結方向の両端にウレタン駒と連通する連結用のピン孔１１ａ，１１ｂを設けたことを特徴とするものである。
【特許文献１】実用新案登録第３０５８２８４号公報
【考案の開示】
【考案が解決しようとする課題】
【０００３】
これに対して、本願考案は、従来にない新規なウレタン製時計バンド駒を提供すべく、本願考案を完成するに至った。
【課題を解決するための手段】
【０００４】
本願考案の第１の考案は、左右に位置するウレタン製外パーツと、外パーツの間に位置するウレタン製内パーツとを貫通する連結孔へパイプ状の連結材を挿通して略Ｙ字形に連結される時計バンド用ウレタン駒であって、外パーツの外側側面に取り付ける金属製の側面パーツが外パーツとの当接面にピン材を備え、そのピン材を連結孔の連結材へ差し込むことで、側面パーツが外パーツの外側側面に取り付けられることを特徴とする時計バンド用ウレタン駒である。
第２の考案は、側面パーツが、外パーツの外側側面に形成された凹部に嵌合する凸部を備えたことを特徴とする同時計バンド用ウレタン駒である。
第３の考案は、前後するウレタン駒をピン状の接続材で接続するために外パーツ、側面パーツ及び内パーツにはそれぞれ接続材を挿通するための接続孔を設け、外パーツの接続孔には接続材を保持するためのＣリングを備えるとともに、内パーツの接続孔にはＣリングの脱落防止用にパイプ状の脱落防止材を備えることを特徴とする同時計バンド用ウレタン駒である。
第４の考案は、Ｃリングが外パーツの内側側面から接続孔へ挿入可能な構造においては、側面パーツの接続孔の径がＣリングの径以下になる部分を有する段孔構造であることを特徴とする同時計バンド用ウレタン駒である。
第５の考案は、上記第１から第４の考案に係る時計バンド用ウレタン駒を備えたことを特徴とする時計バンドである。
【考案の効果】
【０００５】
上記本願考案によれば、次のような効果を有する。
（１）本願考案に係る時計バンド用ウレタン駒は、ウレタン製外パーツとウレタン製内パーツと金属製側面パーツから構成されることにより、従来にない新規なウレタン製時計バンド駒を提供できる。
（２）金属製側面パーツを外パーツの外側側面に取り付けることで、ウレタン駒のパーティングラインが隠せるので、バンド駒の質感を向上させることができる。
【考案を実施するための最良の形態】
【０００６】
本願考案の実施形態を図面に基づいて説明する。
図１は、本願考案に係る時計バンド用ウレタン駒を示す説明図である。
図１に示すように、時計バンド用ウレタン駒２０（以下「ウレタン駒２０」）は、左右に位置するウレタン製外パーツ３０，３０と、外パーツの間に位置するウレタン製内パーツ４０と、外パーツ３０の外側側面３１に取り付ける金属製の側面パーツ５０とを備えて略Ｙ字形に連結されるバンド駒である。
【０００７】
ここで、側面パーツ５０は、外パーツ３０の外側側面３１に形成された凹部３２に嵌合する凸部５１を備えている。
また、外パーツ３０，３０と内パーツ４０と側面パーツ５０は、これらを貫通する連結孔２１へパイプ状の連結材６０を挿通して連結されるが、側面パーツ５０が外パーツ３０との当接面にピン材５２を備え、そのピン材５２を連結孔２１の連結材６０へ差し込むことで、側面パーツが外パーツの外側側面に取り付けられる構造となっている。
【０００８】
図２は、本願考案に係る時計バンド用ウレタン駒の接続構造を示す説明図である。
前後するウレタン駒２０，２０は、外パーツ３０、側面パーツ５０及び内パーツ４０にそれぞれ接続孔３３，５３，４３を設け、これら接続孔にピン状の接続材７０を挿通することで、相互に接続される。
また、外パーツ３０の接続孔３３には接続材７０を保持するためのＣリング７１を備えるとともに、内パーツ４０の接続孔４３にはＣリング７１の脱落防止用にパイプ状の脱落防止材７２を備える。
【０００９】
図３及び図４は、本願考案に係る時計バンド用ウレタン駒の接続構造を示すその他の説明図である。
図３は、Ｃリング７１の長さ（Ａ）が内パーツ４０の横幅（Ｂ）よりも長い場合の構造を示している。この場合、Ｃリング７１は、側面パーツ５０の外側から挿入することになるので、側面パーツ５０の接続孔５３は、Ｃリング７１の挿入可能なストレート孔となっている。
一方、図４は、Ｃリング７１の長さ（Ｃ）が内パーツ４０の横幅（Ｄ）よりも短い場合の構造を示している。この場合、Ｃリング７１は、外パーツ５０の内側側面３４から挿入することになるので、側面パーツ５０の接続孔５３は、Ｃリング７１の脱落を防止できるように、接続孔５３の径がＣリング７１の径以下になる部分を有する段孔構造となっている。
【産業上の利用可能性】
【００１０】
本願考案に係るウレタン駒は、ウレタン製の時計バンドの構造として幅広く利用できるものである。
【図面の簡単な説明】
【００１１】
【図１】本願考案に係る時計バンド用ウレタン駒を示す説明図。
【図２】本願考案に係る時計バンド用ウレタン駒の接続構造を示す説明図。
【図３】本願考案に係る時計バンド用ウレタン駒の接続構造を示すその他の説明図。
【図４】本願考案に係る時計バンド用ウレタン駒の接続構造を示すその他の説明図。
【図５】従来技術（特許文献１）を示す断面図。
【符号の説明】
【００１２】
２０  ウレタン駒  ２１  連結孔
３０  外パーツ    ３１  外側側面    ３２  凹部    ３３  接続孔    ３４  内側側面
４０  内パーツ    ４３  接続孔
５０  側面パーツ  ５１  凸部        ５２  ピン材  ５３  接続孔
６０  連結材
７０  接続材      ７１  Ｃリング    ７２  脱落防止材
【図１】
0003148398.tif 000003
【図２】
0003148398.tif 000004
【図３】
0003148398.tif 000005
【図４】
0003148398.tif 000006
【図５】
0003148398.tif 000007